(57)【要約】【課題】梱包箱を潰す際、破断することなく容易に潰すことのできるようにし、潰し易さを考慮して、梱包箱を組み立てる際の結合手段としてのりづけ等を行わず、潰した後にかさばらずに廃却できるようにする。【解決手段】梱包箱１を一枚の素材を折曲げて上面部１１、及び側面部１２、１４、１５、１６及び底面部１３から成り、中板部１７を折り返して組立て、ステッチ、グルーイング、テーピング等を用いない構造の梱包箱とし、梱包箱底面部１３の対角線方向に、折り曲げ可能な折目５１を備えた。【選択図】　　　　図１
2004115088.tif 000002
【特許請求の範囲】
【請求項１】
梱包箱を一枚の素材を折曲げ差込み係止させて組立てステッチ、グルーイング、テーピング等を用いない構造の梱包箱とし、梱包箱底面の対角線方向に、折り曲げ可能な折目を備えたことを特徴とする梱包箱。
【請求項２】
前記梱包物の使用後の折り曲げ工程の印刷部を備えたことを特徴とする請求項１記載の梱包箱。
【発明の詳細な説明】
【０００１】
【発明の属する技術分野】
本発明は、主として紙素材によって形成され、内部に製品を収容できる６面体構造の梱包箱に関する。
【０００２】
【従来の技術】
梱包箱は梱包物を容易に梱包することができ、安全に搬送でき、コストが安いことが必要であるが、さらに、梱包物を取出したあとの箱の処理についても十分考慮する必要がある。
【０００３】
用済みの梱包箱の処理に着目した技術として使用後潰しやすい段ボール箱の技術がある。この技術は６面体構造の段ボール箱であって、少なくとも１面に、外側からの荷重によってこの面を破断させて面全体を開口させる破断手段が設けられている段ボール箱である。この技術では破断手段が、部分的に脆弱にした脆弱部でもよく、この脆弱部としては、カット線で段ボール箱の少なくとも１面の略中央からこの面の各角部に向かっている形状のもの、各角部と所定の間隔をあけて形成されているものなどである（例えば、特許文献１参照。）。
【０００４】
この技術の例を図５、図６に例示した。図５は素材の展開図、図６は段ボール箱の斜視図である。この技術はブリスボックスであって、一枚の段ボールから成るメインパネル３０を有し、このメインパネル３０の奥板３２、底板３３、前板３６及びフラップ３１、３７を同一方向に折り曲げて略四角筒状に形成する。メインパネルの奥板３２、底板３３、前板３６からは、幅方向両側にそれぞれ継ぎしろ片４１が張り出されている。この継ぎしろ片４１の内側に段ボール製のサイドパネル３４、３５が、コールドグルー等の接着強度の強い接着剤で貼着されて、全体として略直方体状のブリスボックス５０が組み立てられる。継ぎしろ片４１によって、ブリスボックス５０の縦稜の近傍が補強されていることになり、ブリスボックス５０は上方からの圧縮強度が高くなる。このため、ブリスボックス５０は丈夫で耐久性に優れ、特に重量物の保管、運搬等に適している。また、段ボールを使用して、合成樹脂製あるいは金属製の箱と同様の強度が得られるので、材料コストを低減させることもできる。
【０００５】
しかし、このブリスボックス５０では、このように縦稜の近傍が補強されているため、内容物を取り出した後に潰す作業が困難になっている。
【０００６】
このため、壊しやすさを考慮して、継ぎしろ片４１とサイドパネル３４、３５とを貼着する接着剤の接着強度を弱くし、サイドパネル３４、３５をメインパネル３０から簡単に分離できるようにすることも考えられる。
【０００７】
ブリスボックス５０の使用後に、破断手段５１が設けられている底板３３に対して、ブリスボックス５０の外側から所定値以上の荷重を作用させる。これにより、底板３３を構成する段ボールが破断され、底板３３全体が開口される。このように開口された底板３３と対向する面の全体が予め開口されている場合には、ブリスボックス５０全体として底のない筒状となるので、押しつぶして平面状にすることができ、廃棄が容易になる。
【０００８】
ブリスボックス５０は強度を保つために別々の段ボールを組立てて糊づけするので隅角部が二重になり、強度の高い補強型の箱となる。従って組立に手間がかかり、また、用済み後の処理が困難となる。そこで、従来技術では底板３３に弱め部を設け、対向する縦陵を押しつぶしてしまう。このため、底板３３が破断する。また押しつぶした折畳み物を小型化することが容易でない。さらに押しつぶして底板３３を破壊した段ボールはリサイクルして再使用することができないという欠点がある。
【０００９】
また、四角形の底面の４つの頂点のいずれかを始点又は終点とし、底面を切開いたとき、４つの側面の少なくとも１面と繋がる面を構成する不連続な切断線、又は接合部材によって接合された切断線を設けたブリス型段ボール箱がある（例えば、特許文献２参照。）。
【００１０】
この技術は使用後のブリス型段ボール箱を貯蔵、運搬、廃却しやすくするために、底壁の周囲の三辺に沿ってコの字状にミシン目の切断線を設け、底板の三辺を切離して箱全体を折畳み可能にしたものである。この技術はブリス型段ボール箱の強度が大きい利点を滅却し、またリサイクルが容易でない。
【００１１】
【特許文献１】
特開平１０−２９７６２６号公報（第２〜６頁、図１、図２）
【特許文献２】
実開平６−４２６４８号公報（第２〜７頁、図１）
【００１２】
【発明が解決しようとする課題】
従来技術では、梱包箱を潰す際、破断する必要があった。また梱包箱を組み立てる際の結合手段として、ブリスボックス等のように、ステッチ、グルーイング、テーピング等による結合が一般的である。本発明は潰し易さを考慮して、そういった結合手段を使わないで組立てることができる構造の梱包箱とし、次の課題を解決した技術を提供することを目的とするものである。
【００１３】
本発明の課題は、
（１）梱包箱を潰す際、破断することなく容易に潰すことができること
（２）潰し易さを考慮して、梱包箱を組み立てる際の結合手段としてのりづけ等を行わないこと
（３）潰した後にかさばらずに廃却できるようにすること
である。
【００１４】
【課題を解決するための手段】
本発明は、上記問題点を解決するためになされたもので、梱包箱を一枚の素材を折曲げ差込み係止させて組立てステッチ、グルーイング、テーピング等を用いない構造の梱包箱とし、梱包箱底面の対角線方向に、折り曲げ可能な折目を備えたことを特徴とする梱包箱である。
【００１５】
本発明はステッチ、グルーイング、テーピング等を用いない構造の梱包箱の底面の対角線方向に潰し易くするために折り曲げる折目の加工を施すと共に、梱包箱を潰す際、破断することなく容易に潰すことのできるようにするために、梱包箱底面の対角線方向に、潰し易くするための加工を施したことを特徴とする。
【００１６】
また、前記梱包物の使用後の折り曲げ工程の印刷部を備えることとすれば、ユーザが製品を取出した後、印刷された手順に従って梱包箱を折り畳んで小型化し、処理することが容易となるので好ましい。
【００１７】
【発明の実施の形態】
以下図面を参照して本発明の実施の形態を説明する。
【００１８】
図１は本発明の実施例の梱包箱１の展開図である。この梱包箱１は上面部１１、側面部１２、１４、１５、１６及び底面部１３から成り、中板部１７を附属している。これらの各側面部１２、１４、１５、１６にはそれぞれ折り返し１８が張出して取付けられている。これらの６面及び中板部１７を折れ線に沿って折り曲げると梱包箱１を形成することができる。底面部１３には対角線方向に折目２１が設けられている。この折目２１は、梱包箱から製品を取出した後、梱包箱を小さく折畳むためのものである。その折畳みは、矢印２３で示す対角線上の折目２１に沿って、矢印２２で示すように側板部１４、１６、中板部１７をまとめて折畳むこととした。
【００１９】
図２は、梱包箱から製品を取出した後、梱包箱を開いて図１の状態にした後、折目２１で折り曲げた状態を示している。
【００２０】
次いで、図２に示すように矢印２４で示す部分で中板部１７を矢印２５で示すように折曲げる。図３はこの状態を示している。次いで図３に示すように、矢印２６で示す部分から上面部１１を矢印２７で示すように折曲げる。その結果、梱包箱全体をコンパクトな形状に折畳むことができる。これを結束すれば、最小容積の状態で搬送することができる。
【００２１】
本発明は上面部１１及び底面部１３が正方形で、側面部１２、１４、１５、１６が深い梱包箱に対して特に有効である。
【００２２】
底面部１３に対角線状に設ける上記折目としては、ミシン目、ハーフカットでもよい。また図４に示すように折目２２を底面部１３の中央部分のみに設け隅角部近傍に設けないこととすれば、梱包箱として供用中に底面１３の強度が大きく、梱包箱を解体した後はこの折目を有効に利用して折り曲げることができるので、好ましい。
【００２３】
【発明の効果】
本発明によれば、ユーザが購入した製品を取り出した後、製品を収容していた６面体構造の梱包箱を廃却する際、潰し易く、且つかさばらない梱包箱を提供することが可能となった。また本発明により、梱包箱を組み立てる際のステッチ、グルーイング、テーピング等による接合工程を省くことができ、製造コスト削減効果を期待することができる。また、分解の仕方を箱に印刷しておくことにより、ユーザが箱を捨てる時に容易に折り畳み方を理解することができる。
【図面の簡単な説明】
【図１】実施例の展開図である。
【図２】実施例の折畳み工程の説明図である。
【図３】実施例の折畳み工程の説明図である。
【図４】折り目の説明図である。
【図５】従来例の展開図である。
【図６】従来例の組立斜視図である。
【符号の説明】
１　　梱包箱
１１　　上面部
１２、１４、１５、１６　　側面部
１３　　底面部
１７　　中板部
１８　　折り返し
２１　　折目
２２、２３、２４、２５、２６、２７　　矢印
３０　　メインパネル
３１　　フラップ
３２　　奥板
３３　　底板
３４、３５　　サイドパネル
３６　　前板
３７　　フラップ
４１　　継ぎしろ片
５０　　ブリスボックス
５１　　破断手段
【図１】
2004115088.tif 000003
【図２】
2004115088.tif 000004
【図３】
2004115088.tif 000005
【図４】
2004115088.tif 000006
【図５】
2004115088.tif 000007
【図６】
2004115088.tif 000008